(57)【特許請求の範囲】
【請求項１】
チェンケース（１１）への入力軸（１５）と、該入力軸（１５）からの動力を断続するクラッチのシフトシャフト（２５）とを備えたロータリ作業機において、上記入力軸（１５）のボールベアリング（１６）を支持する嵌合穴（２７ａ）と、シフトシャフト（２５）の挿通穴（２７ｂ）とを軸受ハウジング（２７）に設けて、該軸受ハウジング（２７）をチェンケース（１１）内に収納すべく構成すると共に、軸受ハウジング（２７）の外面側に一体形成してチェンケース（１１）の取付け穴より外方に突出させた突出部に、シフトシャフト（２５）を摺動させる操作アーム（３３）の中途部を枢支し、該操作アーム（３３）の一端には操作レバーを、他端には上記シフトシャフト（２５）を枢着したことを特徴とするロータリ作業機。
【発明の詳細な説明】
【０００１】
【発明の属する技術分野】
本発明は、チェンケースの入力軸と、該入力軸からの動力を断続するクラッチのシフトシャフトを備えたロータリ作業機に係るものである。
【０００２】
【従来の技術】
一般に耕耘機や中耕ロータリ等に装備されるロータリ作業機には、チエンケースに設けた入力軸とロータリ軸とを、チエンケースに内装したチエン機構で連動連結し、入力軸からの動力を、シフトシャフト、シフトフォーク等で作動させる爪クラッチで断続するものが知られている。
【０００３】
ところが従来のロータリ作業機は、図８、図９に示すように、チエンケースaの外側より軸受ハウジングbを取付け、この軸受ハウジングbの中に爪クラッチcのシフトシャフトdやシフトフォークe等を収納するようにしているので、チエンケースaの全体構造が複雑となり生産性も悪いという問題があった。
【０００４】
【発明が解決しようとする課題】
本発明は上記のようにチェンケースの全体構造が複雑になって生産性も悪いという課題を解決すべく創作されたものであって、チェンケースの入力軸と、該入力軸からの動力を継続する爪クラッチのシフトシャフト、シフトフォーク等を設けたものであっても、チェンケース全体をコンパクトにできて、組立性を向上させることができる構造の簡単なロータリ作業機を提供することを目的としたものである。
【０００５】
【課題を解決するための手段】
上記の課題を解決するため、本発明が講じた技術的手段は、チエンケースへの入力軸と、該入力軸からの動力を断続するクラッチのシフトシャフトとを備えたロータリ作業機において、上記入力軸のボールベアリングを支持する嵌合穴と、シフトシャフトの挿通穴とを軸受ハウジングに設けて、該軸受ハウジングをチエンケース内に収納すべく構成すると共に、軸受ハウジングの外面側に一体形成してチェンケースの取付け穴より外方に突出させた突出部に、シフトシャフトを摺動させる操作アームの中途部を枢支し、該操作アームの一端には操作レバーを、他端には上記シフトシャフトを枢着したことを特徴とするものである。
【０００６】
【発明の実施の形態】
本発明は、入力軸のボールベアリングを支持する嵌合穴と、シフトシャフトの挿通穴とを軸受ハウジングに設けることにより、チエンケース内に軸受ハウジングを収納できるようにして、チエンケース全体を構造の簡単なものとした。
【０００７】
【実施例】
次に本発明の一実施例を添付した中耕ロータリの図面に基いて詳述する。まず図１において、１はロータリ作業機として例示した中耕ロータリの走行機体であって、車輪２を備えた機体フレーム３にエンジン４、燃料タンク５が搭載され、その後方には操作ハンドル６が後方上方に向けて延設されている。７は主変速レバー、８はスタンドである。
【０００８】
９は上記走行機体１の後端に連結されたロータリ作業機であって、このロータリ作業機９は、支持フレーム１０で支持されたチエンケース１１の下端側に複数のロータ爪１２を取付けたロータリ軸１３が支持されており、チエンケース１１の上端側にはＰＴО軸１４に連動する入力軸１５が設けられ、この入力軸１５とロータリ軸１３とがチエンケース１１に内装したチエン連動機構により連結されている。
【０００９】
上記入力軸１５は図２〜図４に示すように、チエンケース１１の上端側に直交状に挿入され、その先端側がボールベアリング１６で、後端側がボールベアリング１７で支持されている。１８はオイルシールである。また入力軸１５には、スプロケット１９が回転自在に嵌着されていて、ロータリ軸１３に設けたスプロケットとの間に前記チエン連動機構のチエン２０が懸回されている。
【００１０】
２１は入力軸１５の外周にスプライン嵌着した摺動自在の爪クラッチであって、この爪クラッチ２１の爪２１aがスプロケット１９の側面に設けた爪１９aに係合、離脱して入力軸１５からスプロケット１９への動力を断続するものである。図３は爪２１aが爪１９aに係合したクラッチ入りの状態である。
【００１１】
２２は上記爪クラッチ２１の外周に嵌着されるスリーブであって、図５、図６に示すように、円筒状に加工したスリーブ２２にはシフトフオーク２３が係止する係止溝２２aが形成されており、この係止溝２２aが爪クラッチ２１に対して爪２１aの外周に位置するようになっている。２４はスリーブ２２を爪クラッチ２１に位置決めするスナップリングである。
【００１２】
２５は入力軸１５と平行状に配設されるシフトシャフトであって、このシフトシャフト２５に前記シフトフオーク２３を取付ることにより、シフトシャフト２５の移動に伴って爪クラッチ２１を摺動させるシフターが一体化されている。またシフトシャフト２５の中途部には、ボール２６の進入溝２５aが形成されていて、進入溝２５aに進入したボール２６がシフトシャフト２５を爪クラッチ２１の断、続位置で位置決めするようになっている。
【００１３】
そして前記入力軸１５とシフトシャフト２５を支持する軸受ハウジング２７がチエンケース１１内に収納されるようになっている。すなわち図７に示すように、軸受ハウジング２７は、その内面側に入力軸１５の先端を支持するボールベアリング１６の嵌合穴２７aが形成されており、この嵌合穴２７a の下方には、シフトシャフト２５の挿通穴２７bが形成されている。
【００１４】
上記挿通穴２７bのボス部２８は、入力軸１５に設けたスプロケット１９とロータリ軸１３に設けたスプロケットとの中心を結ぶ線上に挿通穴２７bの中心が位置するように突出状となっている。またボス部２８には、ボール２６をスプリング２９とともに組み込むボール穴２８aが形成され、ボール２６がシフトシャフト２５に向けて押圧付勢されている。３０はОリングである。
【００１５】
前記嵌合穴２７aの周辺には、軸受ハウジング２７の取付用ねじ穴２７cが設けてあり、また軸受ハウジング２７の外面側には、チエンケース１１の取付け穴に内方から係止するインロー部２７dが形成され、さらに外方への突出部には、後述する操作アームの枢支穴２７eが形成されている。
【００１６】
このため軸受ハウジング２７を取付用ねじ穴２７cに挿通したボルト３１及びシールワッシャ３２でチエンケース１１の内側に固定すれば、嵌合穴２７aに嵌入したボールベアリング１６で入力軸１５の先端を支持することができ、またシフトシャフト２５を挿通穴２７bに挿通支持できるので、軸受ハウジング２７をチエンケース１１内に収納することができる。
【００１７】
３３は操作アームであって、その下端がシフトシャフト２５の先端にクレビスピン３４、スナップピン３５を介して連結され、中途部が軸受ハウジング２７に形成した枢支穴２７eにクレビスピン３６、スナップピン３７を介して枢支されている。そして操作アーム３３の上端がプッシュプルワイヤ３８の一端に連結され、このワイヤ３８の他端が操作ハンドル６に取付けた操作レバーに連結されていて、操作レバーの操作に連動して、シフトシャフト２５が挿通穴２７bに沿って摺動し、シフトシャフト２５と一体化したシフトフオーク２３が爪クラッチ２１を摺動させ入力軸１５からの動力を断続する。
【００１８】
上記のように、軸受ハウジング２７に設けた挿通穴２７bのボス部２８を、入力軸１５に設けたスプロケット１９とロータリ軸１３に設けたスプロケットとに懸回したチエン２０の間に突出させて軸受ハウジング２７の小スペース化を図ったので、軸受ハウジング２７をチエンケース１１内に収納してもチエンケース１１全体をコンパクトにすることができる。
【００１９】
そして軸受ハウジング２７に入力軸１５とシフトシャフト２５とを予め組付けることができるのでチエンケース１１の組立性も向上する。またシフトフオーク２３が係止する係止溝２２aを、爪クラッチ２１に対して爪２１aの外周に位置させたので、シフトシャフト２５とシフトフオーク２３とを一体化したシフターの収納スペースが小さくなって、チエンケース１１内に収納することができる。このため従来のようにチエンケースの外側にシフターを収納するケースを別に設ける必要はない。
【００２０】
【発明の効果】
これを要するに本発明は、チエンケースへの入力軸と、該入力軸からの動力を断続するクラッチのシフトシャフトとを備えたロータリ作業機において、上記入力軸のボールベアリングを支持する嵌合穴と、シフトシャフトの挿通穴とを軸受ハウジングに設けて、該軸受ハウジングをチエンケース内に収納すべく構成すると共に、軸受ハウジングの外面側に一体形成してチェンケースの取付け穴より外方に突出させた突出部に、シフトシャフトを摺動させる操作アームの中途部を枢支し、該操作アームの一端には操作レバーを、他端には上記シフトシャフトを枢着したことから、入力軸とシフトシャフトとを支持する軸受ハウジングを、チエンケースの外側に取付けたりすることなくチエンケース内に収納して、チエンケース全体を構造の簡単なコンパクトなものにすることができる。しかも入力軸のボールベアリングを支持する嵌合穴と、シフトシャフトの挿通穴とを設けた軸受ハウジングには、入力軸とシフトシャフトとを予め組付けることができるので、チエンケースの組立性を向上させることができる。
【図面の簡単な説明】
【図１】中耕ロータリの全体側面図である。
【図２】チエンケースの入力軸部断面図である。
【図３】同上クラッチ入り状態を示す断面図である。
【図４】図２のＡ方向矢視図である。
【図５】スリーブの斜視図である。
【図６】シフトシャフトの斜視図である。
【図７】軸受ハウジングの斜視図である。
【図８】従来例を示すチエンケースの入力軸部断面図である。
【図９】同上側面図である。
【符号の説明】
１１    チエンケース
１５    入力軸
１６    ボールベアリング
２５    シフトシャフト
２７    軸受ハウジング
２７a   嵌合穴
２７b   挿通穴
【図１】
0003802258.tif 000002
【図２】
0003802258.tif 000003
【図３】
0003802258.tif 000004
【図４】
0003802258.tif 000005
【図５】
0003802258.tif 000006
【図６】
0003802258.tif 000007
【図７】
0003802258.tif 000008
【図８】
0003802258.tif 000009
【図９】
0003802258.tif 000010